(57)【要約】【課題】  電カフィードバックが可能で、環境汚染と騒音汚染を抑えることができる自給式発電システムの提供。【解決手段】  本考案の自給式発電システムは、主に充電池の入力端と発電機が接続され、充電池の出力端と電源アダプタが接続され、前記電源アダプタとの接続により充電池が提供する直流電源を交流電源に変換することができ、かつ、コンセントとモーターがそれぞれ接続され、前記モーターがさらに発電機と接続されて回路を形成し、前記発電機が前記充電池に対して充電を行い、前記充電池が前記モーターの運転に必要な電力を提供し、前記モーターが発電機を駆動することができ、電力のフィードバックが可能で環境汚染と騒音汚染を抑えることができる。【選択図】  図２
0003123504.tif 000002
【実用新案登録請求の範囲】
【請求項１】
発電機と、前記発電機に入力端が接続された充電池と、前記充電池の出力端に接続された電源アダプタと、前記電源アダプタに接続されたコンセントと、一端が前記電源アダプタに接続され、他端が前記発電機に接続されたモーターを含み、そのうち、前記電源アダプタが前記充電池の提供する直流電源を交流電源に変換することができる、自給式発電システム。
【請求項２】
前記モーターと前記電源アダプタの接続間に制御スイッチを設けた、請求項１に記載の自給式発電システム。
【考案の詳細な説明】
【技術分野】
【０００１】
本考案は発電システムに関し、詳細には、電カフィードバックができ、環境汚染及び騒音汚染を抑えることができる、自給式発電システムに関する。
【背景技術】
【０００２】
現在市場には多くの発電システムがあるが、そのうち最もよく見受けられるのがガソリンまたはディーゼル油を利用した発電機システムであり、これは電磁誘導の法則を利用し、ガソリンまたはディーゼル油を燃焼させて発電コイルの回転を起動し、化学エネルギーを動エネルギーに変換し、さらに動エネルギーを電気エネルギーに変換した後、必要な電力を発生するものである。
【０００３】
図１に従来の発電機システムのダイアグラムを示す。この図に示すように、発電機システム１はガソリンまたはディーゼル油を利用することで発電作業を行い、コンセント１３により電力を出力し供給するが、ガソリンまたはディーゼル油の生産は汚染が重度な工業工程であり、環境に対する汚染が甚だしい。また、発電機１１の運転時にエンジン１２がガソリンまたはディーゼル油を燃焼させることで発生する大気汚染と騒音汚染はさらに環境に対する危害を増幅し、且つ、人々を不快にする。このほか、発電機１１の運転時には非常に多くのエネルギーが変換時に失われてしまい、発電効率が低くなることがよくあり、経済効果が薄い。
【０００４】
上述の従来の発電機システムの欠点に鑑みて、本考案はその不完全さに感じ入り、克服するべく考案者の関連産業における長年の経験に基づき研究を重ね、自給式発電システムの開発に至り、簡単な設計で電力のフィードバックができ、環境汚染と騒音汚染を抑える効果を提供する。
【考案の開示】
【考案が解決しようとする課題】
【０００５】
本考案の主な目的は、電力フィードバックが可能な自給式発電システムを提供することにある。
【０００６】
本考案の別の目的は、環境汚染と騒音汚染を抑えることができる自給式発電システムを提供することにある。
【課題を解決するための手段】
【０００７】
上述の目的を達するため、本考案の実現する技術は次の通りである。
【０００８】
本考案の自給式発電システムは、主に充電池の入力端と発電機が接続され、充電池の出力端と電源アダプタが接続され、前記電源アダプタとの接続により充電池が提供する直流電源を交流電源に変換することができ、かつ、コンセントとモーターがそれぞれ接続され、前記モーターがさらに発電機と接続されて回路を形成し、前記発電機が前記充電池に対して充電を行い、前記充電池が前記モーターの運転に必要な電力を提供し、前記モーターが発電機を駆動することができ、電力のフィードバックが可能で環境汚染と騒音汚染を抑えることができる。
【考案を実施するための最良の形態】
【０００９】
本考案の上述及びその他目的、特徴、効果についてよりはっきりと示すため、以下、具体的な実施例と図面に基づき、詳細に説明する。
【００１０】
図２に本考案のシステムのダイアグラムを示す。この図に示すように、本考案の自給式発電システム２は主に充電池２２の入力端と発電機２１が接続され、前記発電機２１が発生する電力で前記充電池２２を充電することができ、前記充電池２２の出力端と電源アダプタ２３が接続され、前記電源アダプタ２３との接続により前記充電池が提供する直流電源（通常は１２Ｖまたは２４Ｖ）を交流電源（通常は１１０Ｖまたは２２０Ｖ）に変換することができ、かつ、それぞれコンセント２４及びモーター２５と接続され、コンセント２４が外部電器（電灯やステレオ、ゲーム機等）の必要とする電力を供給することができ、前記モーター２５と発電機２１が接続されて回路が形成され、前記発電機２１に運転させることができる（ベルトや歯車、軸心を使用し直接伝動することができる）。これにより、前記発電機２１が充電池２２に対し充電を行い、前記充電池２２が電源アダプタ２３を介してモーター２５の運転に必要な電力を提供し、モーター２５がさらに前記発電機２１を運転させ、前記充電池２２に対し充電を行うことができるため、電力のフィードバックという目的を達することができる。このため、前記発電機２１が発生する電力をフィードバックでき、またその発電のエネルギー源は電力であるため、本システムは従来のシステムがガソリンまたはディーゼル油を使用することにより発生する環境保護の問題がなく、且つ、ガソリンまたはディーゼル油を使用しないため、エンジンが必要なくなり、環境汚染と騒音汚染の発生を抑えることができる。
【００１１】
図３に本考案の別のシステムのダイアグラムを示す。この図に示すように、本考案の自給式発電システム２ｗ車両上に用いるとき、モーター２５は使用する必要がなく、車両上のエンジン２６を利用して発電機２１を運転させ、モーター２５の機能を代替してもよい。このため、モーター２５及び電源アダプタ２３間に制御スイッチ２５１を追加設置することができ、これによりモーターのオン／オフを制御することで、本考案を一般的な場所や車両上に適用することを可能にする。
【００１２】
前述のように、本考案の自給式発電システムの設計は確実に実施可能であり、且つ、従来技術の各欠点を改善することができ、革新的且つ産業の二一ズに合致する高度な創作であり、新規性及び進歩性を備え、完全に実用新案登録出願の法定要件を満たしているため、法に基づきここに実用新案登録を出願するものである。
【図面の簡単な説明】
【００１３】
【図１】従来の発電機システムのダイアグラムである。
【図２】本考案のシステムのダイアグラムである。
【図３】本考案の別のシステムのダイアグラムである。
【符号の説明】
【００１４】
１      発電システム
１１    発電機
１２    エンジン
１３    コンセント
２      発電システム
２１    発電機
２２    充電池
２３    電源アダプタ
２４    コンセント
２５    モーター
２５１  制御スイッチ
２６    エンジン
【図１】
0003123504.tif 000003
【図２】
0003123504.tif 000004
【図３】
0003123504.tif 000005